(57)【要約】【課題】使用していない時や、人などがぶつかった時はフック部が収納されて、破損を防ぐことができるフックを提供すること。【解決手段】支持面に固定される座体３と、フック部４とを備え、フック部４は、座体３に固定した支持プレートと、支持プレートに軸着したフックプレート４１と、フックプレート４１と支持プレートの間に介在した弾性部材４４とを有し、弾性部材４４は、フックプレート４１を開いた時にフックプレート４１を座体３から張り出した状態で維持すると共に、一定以上の強さでフックプレート４１を押し戻した時にフックプレート４１を閉じるものである。【選択図】図２
0003141333.tif 000002
【実用新案登録請求の範囲】
【請求項１】
支持面に固定される座体と、フック部とを備え、該フック部は、座体に固定した支持プレートと、該支持プレートに軸着したフックプレートと、フックプレートと支持プレートの間に介在した弾性部材とを有し、該弾性部材は、前記フックプレートを開いた時に該フックプレートを座体から張り出した状態で維持すると共に、一定以上の強さで前記フックプレートを押し戻した時に該フックプレートを閉じるものであることを特徴としたフック。
【請求項２】
前記フックプレート及び支持プレートの接合部分にそれぞれ取付片を設け、これら取付片をピンで貫通することにより、前記フックプレートと支持プレートとを軸着してある請求項１に記載のフック。
【請求項３】
前記弾性部材は、弾性板片又はバネである請求項１又は２に記載のフック。
【請求項４】
前記座体に、閉じた状態の前記フックプレートを収納可能なフックプレート収納溝を形成してある請求項１〜３のいずれかに記載のフック。
【請求項５】
前記フックプレート及び支持プレートに係合溝を形成すると共に、これら係合溝に前記弾性部材の両端をそれぞれ係合した請求項１〜４のいずれかに記載のフック。
【請求項６】
前記支持面に固定するための固定部材を前記支持プレートに組みつけてある請求項１〜５のいずれかに記載のフック。
【請求項７】
前記支持プレートの両側にそれぞれガイド縁を張り出し、前記固定部材の両側にそれぞれガイド溝を形成し、前記ガイド縁をガイド溝へ摺動自在に係合して、前記支持プレートと固定部材を摺動自在に組みつけ、前記固定部材を摺動させることにより前記座体から出没自在としてある請求項６に記載のフック。
【請求項８】
前記支持プレートの一端に位置決め突縁部を設け、前記固定部材の他端部に位置決め突起を設け、前記固定部材が前記支持プレートに対して摺動した時、前記位置決め突起が位置決め突縁部に当接することにより、前記固定部材の脱落を規制する請求項７に記載のフック。
【請求項９】
前記座体を他の座体と連結可能とした請求項１〜８のいずれかに記載のフック。
【請求項１０】
前記座体に複数のフック部を設けた請求項１〜８のいずれかに記載のフック。
【考案の詳細な説明】
【技術分野】
【０００１】
本考案は、フック部を収納できるフックに関する。
【背景技術】
【０００２】
一般家庭等において、衣服、鞄のような物品を掛けるためのフックが多く用いられている。図１に示すように、従来のフック１は、座板１１と、座板１１の表面に突設したフック体１２を備え、座板１１を粘着シートや釘によって壁面に固定し、フック体１２に物品を掛けるようになっている。
【０００３】
しかし、上記従来のフック１には以下のような欠点がある。
（一）このようなフック１には、座板１１とフック体１２を別々に製造してから組み立てたものと、一体成形したものとがあるが、いずれのものも、取り付けたときにフック体１２が壁面から突出したままの状態となるため、人がフック１にぶつかってフック体１２が破損し、使用不能となる虞がある。
（ニ）フック１を取り付けるのに時間がかかって面倒であるばかりか、固定強度の高いネジや釘で固定すると、固定部分が外観に現れて体裁が悪い。
【考案の開示】
【考案が解決しようとする課題】
【０００４】
本考案が解決しようとする第１の課題は、使用していない時や、人などがぶつかった時はフック部が収納されて、破損を防ぐことができるフックを提供することにある。
また、本考案が解決しようとする第２の課題は、第１の課題に加え、支持面へ簡単に取り付けることができ、体裁の良いフックを提供することにある。
【課題を解決するための手段】
【０００５】
本考案のフックは、支持面に固定される座体と、フック部とを備え、該フック部は、座体に固定した支持プレートと、該支持プレートに軸着したフックプレートと、フックプレートと支持プレートの間に介在した弾性部材とを有する。該弾性部材は、前記フックプレートを開いた時に前記フックプレートを座体から張り出した状態で維持すると共に、一定以上の強さで前記フックプレートを押し戻した時に該フックプレートを閉じるものである。
【０００６】
以下の構成を採用しても良い。
前記フックプレート及び支持プレートの接合部分にそれぞれ取付片を設け、これら取付片をピンで貫通することにより、前記フックプレートと支持プレートとを軸着してある構成。
前記弾性部材が、弾性板片又はバネである構成。
前記座体に、閉じた状態の前記フックプレートを収納可能なフックプレート収納溝を形成してある構成。
前記フックプレート及び支持プレートに係合溝を形成すると共に、これら係合溝に前記弾性部材の両端をそれぞれ係合した構成。
【０００７】
前記支持面に固定するための固定部材を前記支持プレートに組みつけてある構成。
この時、前記支持プレートの両側にそれぞれガイド縁を張り出し、前記固定部材の両側にそれぞれガイド溝を形成し、前記ガイド縁をガイド溝へ摺動自在に係合して、前記支持プレートと固定部材を摺動自在に組みつけ、前記固定部材を摺動させることにより前記座体から出没自在としてある構成。
さらに、前記支持プレートの一端に位置決め突縁部を設け、前記固定部材の他端部に位置決め突起を設け、前記固定部材が前記支持プレートに対し摺動した時、前記位置決め突起が位置決め突縁部に当接することにより、前記固定部材の脱落を規制する構成。
前記座体を他の座体と連結可能とした構成。
前記座体に複数のフック部を設けた構成。
【考案の効果】
【０００８】
本考案によれば、使用しない時はフックプレートを閉じて、付近を通る人などがぶつかるのを防ぐと共に、フックプレートを張り出してあっても、衝撃を受けると弾性部材が作動してフックプレートが閉じるので、人などがぶつかってフック部が破損するのを防止できる。
また、壁面等の支持面に固定するための固定部材を座体から出没自在とすれば、固定部材を座体から引き出して簡単に支持面へ固定することが可能であり、しかも、その後、座体を摺動させて固定部材を隠蔽できるため、体裁がよい。
【考案を実施するための最良の形態】
【０００９】
以下、本考案の実施例を図面に基づいて詳細に説明する。
図２〜図５に示すように、本考案のフック２は、板状の座体３、開閉式のフック部４、及び、壁面等の支持面に固定するための固定部材５を備える。
座体３の裏面下部には、溝状の固定部３１が形成され、座体３の表面には、高さ方向に沿ってフックプレート収納溝３２が形成される。固定部３１とフックプレート収納溝３２は表裏の対応した位置に形成され、座体３の下部は、固定部３１とフックプレート収納溝３２を連通するように切欠いてある。
【００１０】
フック部４は、座体３のフックプレート収納溝３２に収納可能な寸法のフックプレート４１と、座体３の固定部３１に固定された支持プレート４２と、フックプレート４１と支持プレート４２の間に介在された弾性部材４４とを有する。
フックプレート４１及び支持プレート４２の下端部両側には、それぞれ取付片４１１，４２１が突設され、これらの取付片４１１，４２１をピン４３で貫通することにより、フックプレート４１と支持プレート４２に軸着されている。
フックプレート４１及び支持プレート４２の下端寄りにはそれぞれ係合溝４１２，４２２が形成され、弾性部材４４の両端が係合溝４１２，４２２に係合されている。
【００１１】
弾性部材４４は、弾性板片又はバネより成り、略山形に形成すると共に、その両端を弧状に湾曲している。そして、図６に示すように、フックプレート４１を押し開くと、弾性部材４４が拡張し、収縮しようとする力によりフックプレート４１と支持プレート４２を開いた状態で、即ち、フックプレート４１が座体３の表面から張り出した状態で維持する。
また、フックプレート４１を一定以上の強さで押し戻して弾性部材４４の臨界点を超えると、図７及び図８に示すように、弾性部材４４が元の形状に復帰してフックプレート４１と支持プレート４２を閉じさせ、フックプレート４１は座体３のフックプレート収納溝３２に収納される。
【００１２】
図４に示すように、支持プレート４２の両側にはそれぞれガイド縁４２３が張り出され、支持プレート４２の裏面下端には、幅方向に沿って位置決め突縁部４２４が形成されている。
固定部材５は、座体３の固定部３１内に係合される寸法の板状部材より成り、固定部材５には適宜数の固定用孔５３が穿設される。
固定部材５の両側にはそれぞれガイド溝５１が形成され、ガイド溝５１と支持プレート４２のガイド縁４２３とを摺動自在に係合することにより、固定部材５は支持プレート４２の裏面に上下摺動可能に組み付けられる。
また、固定部材５の表面上端部には、固定部材５が支持プレート４２に対して下降した時に、位置決め突縁部４２４と当接してそれ以上の下降を規制するための位置決め突起５２が形成されている。
そして、固定部材５は、支持プレート４２に対して摺動させることにより、座体３から出没するようになっている。
【００１３】
フック２を壁面等に取り付けるには、図９に示すように、固定部材５を摺動させ、位置決め突起５２を支持プレート４２の位置決め突縁部４２４に当接して固定部材５の脱落を防いだ状態で、座体３より下方へ突出させる。
また、必要に応じて、壁面等における固定部材５の固定用孔５３と合致する箇所にはネジ受け用の筒６を埋設する。
次いで、図１０及び図１１に示すように、固定用孔５３へネジ７をねじ込んで固定部材５を壁面等に固定してから、図１２に示すように、座体３を押し下げて支持プレート４２を固定部材５に対し下方へ摺動させ、座体３で固定部材５を覆う。
【００１４】
フック２を使用しないときは、フックプレート４１を閉じて座体３のフックプレート収納溝３２に収納しておく。
フック２を使用する際には、図１３に示すように、フックプレート４１を開いて座体３から張り出し、弾性部材４４によってこの状態を維持する。張り出したフックプレート４１には鞄等の物品を引っ掛けることができる。
フックプレート４１から物品を取外した後は、フックプレート４１を押し上げると、弾性部材４４が作動してフックプレート４１は閉じ、フックプレート収納溝３２に収納される。
また、開いた状態のフックプレート４１に人がぶつかると、その衝撃によって弾性部材４４が作動し、フックプレート４１が速やかに閉じる。
【００１５】
なお、図１４に示すように、フック２をモジュール化して互いに連結可能とし、複数個組み合わせて使用することもできる。
また、図１５に示すように、１つの座体３に複数の固定部３１を設け、各固定部３１にそれぞれフック部４を取り付けても良い。
さらに、フックプレート４１と支持プレート４２を水平方向に開閉することも可能であり、この場合、固定部３１の位置、固定部材５の摺動方向、フックプレート収納溝３２の形成方向等は適宜変更する。
【図面の簡単な説明】
【００１６】
【図１】従来のフックの斜視図。
【図２】本考案の実施例を示すフックの正面斜視図。
【図３】本考案の実施例を示すフックの裏面斜視図。
【図４】本考案の実施例を示すフックの分解斜視図。
【図５】本考案の実施例を示すフックの要部破断斜視図。
【図６】フックプレートを開いた状態におけるフックの斜視図。
【図７】フックプレートが閉じる際の動きを示す斜視図。
【図８】フックプレートが閉じた状態におけるフックの斜視図。
【図９】フックの取付工程の第一段階を示す斜視図。
【図１０】フックの取付工程の第二段階を示す斜視図。
【図１１】フックの取付工程の第三段階を示す斜視図。
【図１２】フックの取付工程の第四段階を示す斜視図。
【図１３】本考案の実施例を示すフックの使用状態における斜視図。
【図１４】本考案のフックの他の使用例を示す斜視図。
【図１５】本考案の他の実施例を示すフックの斜視図。
【符号の説明】
【００１７】
２  フック
３  座体
３１  固定部
３２  フックプレート収納溝
４  フック部
４１  フックプレート
４２  支持プレート
４１１，４２１  取付片
４１２，４２２  係合溝
４２３  ガイド縁
４２４  位置決め突縁部
４３  ピン
４４  弾性部材
５  固定部材
５１  ガイド溝
５２  位置決め突起
５３  固定用孔
６  筒
７  ネジ
【図１】
0003141333.tif 000003
【図２】
0003141333.tif 000004
【図３】
0003141333.tif 000005
【図４】
0003141333.tif 000006
【図５】
0003141333.tif 000007
【図６】
0003141333.tif 000008
【図７】
0003141333.tif 000009
【図８】
0003141333.tif 000010
【図９】
0003141333.tif 000011
【図１０】
0003141333.tif 000012
【図１１】
0003141333.tif 000013
【図１２】
0003141333.tif 000014
【図１３】
0003141333.tif 000015
【図１４】
0003141333.tif 000016
【図１５】
0003141333.tif 000017